【事件の表示】
　特願２０００−２３６５７９「ネットワークシステム、コントロール機器、再生制御方法及び記録媒体」拒絶査定不服審判事件〔平成１４年　２月１５日出願公開、特開２００２−　５１３８７〕について、次のとおり審決する。
【結　論】
　本件審判の請求は、成り立たない。
【理　由】
第１．手続の経緯と本願発明
　本願は、平成１２年８月４日の出願であって、特許請求の範囲の請求項１に係る発明（以下、「本願発明」という。）は、平成１８年１１月６日付け手続補正書により補正された明細書及び図面の記載からみて、その特許請求の範囲の請求項１に記載された以下のとおりのものと認める。
（本願発明）
　「コントロール機器及び複数のターゲット機器が所定の規格に準拠したバスを介して接続されるネットワークシステムであって、
　コントロール機器は、
　前記複数のターゲット機器すべてにおいて、各ターゲット機器が備える再生対象の媒体に関する媒体情報をそれぞれ取得する媒体情報取得手段と、
　前記媒体情報取得手段が取得した媒体情報をそれぞれのターゲット機器と対応付けて記憶する媒体情報記憶手段と、
　前記複数のターゲット機器すべてにおける対応コマンド情報を取得する対応コマンド取得手段と、
　前記媒体情報記憶手段が記憶した媒体情報から再生対象のデータを選択する選択手段と、
　前記選択手段により選択されたデータを再生リストに追加して記憶する再生リスト記憶手段と、
　前記再生リスト記憶手段に記憶された再生リスト及び、前記対応コマンド取得手段によって取得した対応コマンドに従って、
　対応するターゲット機器に向けて対象のデータの再生を指示する再生指示手段と、
　前記再生指示手段が再生を指示したターゲット機器における再生の終了を判別する再生終了判別手段と、
　前記再生終了判別手段が再生の終了を判別した後に、前記再生指示手段を制御して次の対象のデータをターゲット機器に再生させる再生制御手段と、を備え、
　各ターゲット機器は、
　自己が備える再生対象の媒体に関する媒体情報をコントロール機器に供給する媒体情報供給手段と、
　前記再生指示手段によりコントロール機器から送られた再生指示に従って、対象のデータを再生する再生手段と、を備える、
　ことを特徴とするネットワークシステム。」
　
第２．引用発明および周知技術
Ａ．当審の拒絶理由に引用された特開平１１−９６７３５号公報（以下、「引用例１」という。）には図面とともに以下の事項が記載されている。
　イ．「【特許請求の範囲】
【請求項１】  情報再生装置および情報記録装置のそれぞれと双方向に制御信号の伝送が可能な制御信号伝送路を介して結合され、
上記情報再生装置は、情報信号を第１の記録媒体から再生すると共に、上記第１の記録媒体の管理用領域から情報信号の各プログラムの識別情報を再生し、上記情報記録装置は、情報信号をプログラム毎に第２の記録媒体に記録するようになされた記録再生制御装置であって、
上記制御信号伝送路を介して上記第１の記録媒体の上記識別情報を受信し、受信した上記識別情報を記憶する記憶手段と、
上記記憶手段から読出した上記識別情報が表示される第１のウインドウと、上記第２の記録媒体に記録しようとするプログラムの識別情報が表示される第２のウインドウとを提示し、上記第１のウインドウに表示されている識別情報の中で、所望の上記識別情報をドラグおよびドロップ操作によって、上記第２のウインドウに表示させることによって、上記第２の記録媒体へ記録するプログラムを選択するＧＵＩ手段と、
上記第２のウインドウに表示されている識別情報に対応するプログラムを上記情報再生装置が上記第１の記録媒体から再生すると共に、再生されたプログラムを上記情報記録装置が上記第２の記録媒体に対して記録するように、上記情報記録装置および上記情報再生装置に対して、制御信号を上記制御信号伝送路を介して与える手段とからなることを特徴とする記録再生制御装置。」（第２頁第１欄，特許請求の範囲，請求項１）
　ロ．「【００１５】
【発明の実施の形態】以下、この発明の実施の一形態について、図面を参照しながら説明する。図１は、この発明による記録再生制御装置としてのパソコン１を含むオーディオ再生システムの一例を示す。
…中略…
【００１８】図１において、オーディオ信号（アナログまたはディジタル）の伝送路は、破線で示されている。ＣＤチェンジャー６ａ、６ｂおよびＭＤレコーダ７の再生オーディオ信号がアンプ８に対して入力される。アンプ８で選択されたオーディオ信号がスピーカ９により再生される。
【００１９】図１は、この発明を適用できるシステムの一例を示すのにすぎない。例えばＡＶコントローラを使用し、このＡＶコントローラに対してスター状に複数のＡＶ機器（オーディオ機器のみならず、ディジタルＶＣＲ等のビデオ機器）が接続され、パソコンがＡＶコントローラと接続されるシステムに対しても、この発明を適用できる。また、パソコン１とＣＤチェンジャー６ａ等のオーディオ機器とのインターフェースとしてＩＥＥＥ１３９４を使用すれば、ディジタル情報信号と制御信号との伝送路を分離する必要がなくなる。」（第５頁第７欄〜第８欄，段落１５〜段落１９）
　ハ．「【００２３】この発明の一実施形態では、後述するように、パソコン１のディスプレイ３の画面上に第１のウインドウ１１、第２のウインドウ１２および第３のウインドウ１３を表示する。これらのウインドウに対して、上述したようなディスク名、曲名等の識別情報を表示する。そして、ユーザがマウス５をドラッグおよびドロップ操作することによって、ＭＤレコーダにより記録すべきＣＤおよび曲を選択することができる。また、画面中のアイコン、ボタンをクリックすることで、ＣＤチェンジャー６ａ、６ｂ、ＭＤレコーダ７およびアンプ８の動作を制御することが可能とされている。さらに、画面中のアイコン、ボタンをクリックすることで、曲単位の編集（例えば二つの曲の結合等）が可能とされている。」（第５頁第８欄〜第６頁第９欄，段落２３）
　ニ．「【００４４】図１のシステムの場合に、パソコン１のディスプレイ３に提示されるウインドウは、概略的に図３に示すようなものである。ウインドウ１１は、ＣＤチェンジャー６ａが再生するＣＤを識別するディスクアイコン１１ａ（図３では、Ｃの識別情報が示されている）と、このＣＤ中の複数の曲の識別情報を上から順に並べた曲名識別表示１１ｂとを含む。ウインドウ１２も同様に、ディスクを識別するディスクアイコン１２ａ（図３では、Ｅの識別情報が示されている）と曲名識別表示１２ｂとを含む。ウインドウ１３も同様に、記録すべきＭＤを識別するディスクアイコン１３ａ（図３では、Ａの識別情報が示されている）と、記録すべき曲を表示する曲名識別表示１３ｂとを含む。
【００４５】図３に示すように、ウインドウ１２の曲名識別表示１２ｂに表示されている第９番目の曲をＭＤレコーダ７によってＭＤに記録したい場合には、マウス５を操作して、カーソルをその識別情報に位置させ、次にドラッグおよびドロップによりウインドウ１３の曲名識別表示１３ｂの第３番目の位置にこの識別情報を表示させる。この操作で、この曲を記録すべきものとして選択する。次に、ウインドウ１１の曲名識別表示１１ｂに表示されている第８番目の曲をＭＤに記録したい場合には、マウス５を操作して、カーソルをその識別情報に位置させ、次にドラッグおよびドロップによりウインドウ１３の曲名識別表示１３ｂの第４番目の位置にこの識別情報を表示させる。これによって、この曲を選択できる。
…中略…
【００４８】上述したドラッグおよびドロップによってＣＤからＭＤへダビングするＣＤおよび曲の選択操作が終了すると、パソコン１の制御によって選択した曲のダビングが開始される。すなわち、パソコン１は、ＣＤチェンジャー６ａおよび６ｂに対して、選択したＣＤと選択した曲を指定の順序でこれらのＣＤチェンジャー６ａおよび６ｂが再生するように制御信号を送信し、また、ＣＤチェンジャー６ａ、６ｂが再生した曲を記録するようにＭＤレコーダ７に対して制御信号を送信する。
【００４９】音楽情報のダビングが終了すると、ウインドウ１３に表示されているディスク識別情報および曲名識別情報をＭＤレコーダ７がＭＤの管理用エリアに記録するように、パソコン１からＭＤレコーダ７に対して制御信号および識別情報が制御信号伝送路を介して伝送される。この処理は、選択した曲の記録が完了した時点で、自動的に行われる。それによって、ユーザが記録したＭＤに対してディスク名、曲名を入力する操作を不要とできる。但し、ダビング終了時に、識別情報を記録するかどうかをユーザに問い合わせる表示を提示し、ユーザが選択可能としても良い。」（第８頁第１３欄〜第１４欄，段落４４〜段落４９）
  ホ．「【００５１】また、この発明は、記録を伴わない再生動作の制御に対しても適用することができる。すなわち、二つ以上の再生機器（ＣＤチェンジャー、ＣＤプレーヤ、ＭＤレコーダ等）からの媒体識別情報および曲名識別情報を二つのウインドウとして提示し、図３の場合と同様に、ドラッグおよびドロップにより各ウインドウから所望の曲を所望の順序で選択する。その後、選択された媒体および曲名を順に再生機器が再生するように制御する。このように、複数の媒体にまたがって、所望の曲を所望の順序で再生する、プログラム再生を容易に制御することができる。さらに、この場合に、ウインドウとして提示されている選択結果をパソコン１が適切なファイル名を付して保存することにより、複数種類のプログラム再生用のファイルを持つことができる。それによって、ユーザが時間帯等の状況に応じて適切なプログラム再生を容易に行うことができる。」（第８頁第１４欄〜第９頁第１５欄，段落５１）
　ヘ．「【００５２】上述したように、パソコン１がディスク識別情報および曲名識別情報を含むウインドウを提示するために、予め接続された装置に関するこれらの情報を取得し、ハードディスク内にテーブルの形式或いはデータベースとして保持するようになされる。パソコン１に保持されるデータの形式の一例を図４に示す。」（第９頁第１５欄，段落５２）
　
　上記摘記事項ホの【００５１】に「複数の媒体にまたがって、所望の曲を所望の順序で再生する、プログラム再生を容易に制御することができる。」と記載されているように、図１のオーディオ再生システムは「プログラム再生」を行えることは明らかである。
　上記摘記事項ロの【００１９】には「パソコン１とＣＤチェンジャー６ａ等のオーディオ機器とのインターフェースとしてＩＥＥＥ１３９４を使用すれば、ディジタル情報信号と制御信号との伝送路を分離する必要がなくなる。」と記載されていることから、上記摘記事項ロの【００１５】に記載の図１のオーディオ再生システムは「所定の規格に準拠したバスを介して接続されるオーディオ再生システム」であることは明らかである。
　また、上記摘記事項イには「上記制御信号伝送路を介して上記第１の記録媒体の上記識別情報を受信し、受信した上記識別情報を記憶する記憶手段」と記載され、上記摘記事項ハの【００２３】において「ディスク名、曲名等の識別情報を表示する。」と記載されていることから、パソコン１は「再生対象の媒体に関する識別情報をそれぞれ取得する識別情報取得手段と、前記識別情報取得手段が取得した識別情報を記憶する識別情報記憶手段」とを有していることは明らかである。
　上記摘記事項ホの【００５１】に「選択された媒体および曲名を順に再生機器が再生するように制御する。」と記載されていることから、パソコン１はディスク名、曲名等の「識別情報をＣＤチェンジャー６ａおよび６ｂと対応付けて記憶」し、ＣＤチェンジャー６ａおよび６ｂの再生を制御していることは明らかである。
　上記摘記事項ホの【００５１】に「ウインドウとして提示されている選択結果をパソコン１が適切なファイル名を付して保存することにより、複数種類のプログラム再生用のファイルを持つことができる。」と記載されていることから、パソコン１は「選択されたデータをウインドウ１３の曲名識別表示１３ｂに追加して記憶する手段」を有していることは明らかである。
　上記摘記事項ニの【００４５】の記載および【００４８】の「パソコン１は、ＣＤチェンジャー６ａおよび６ｂに対して、選択したＣＤと選択した曲を指定の順序でこれらのＣＤチェンジャー６ａおよび６ｂが再生するように制御信号を送信」と記載されていることから、パソコン１は「ウインドウ１３の曲名識別表示１３ｂの順番に記憶する手段」および「曲名識別表示１３ｂの順番に従ってＣＤチェンジャー６ａおよび６ｂに向けて対象の再生を指示する手段」を有していることは明らかである。
　
　したがって、上記引用例１の記載及び図面を考慮すると、上記引用例１には以下の発明（以下、「引用発明」という。）が開示されている。
　「パソコン１及びＣＤチェンジャー６ａおよび６ｂが所定の規格に準拠したバスを介して接続されるプログラム再生を行うオーディオ再生システムであって、
　パソコン１は、
　ＣＤチェンジャー６ａおよび６ｂにおいて、ＣＤチェンジャー６ａおよび６ｂが備える再生対象の媒体に関する識別情報をそれぞれ取得する識別情報取得手段と、
　前記識別情報取得手段が取得した識別情報をＣＤチェンジャー６ａおよび６ｂと対応付けて記憶する識別情報記憶手段と、
　前記識別情報記憶手段が記憶した識別情報から再生対象のデータをドラグ＆ドロップで選択する選択手段と、
　前記選択手段により選択されたデータをウインドウ１３の曲名識別表示１３ｂに追加して記憶する手段と、
　記憶された曲名識別表示１３ｂの順番に従ってＣＤチェンジャー６ａおよび６ｂに向けて対象の再生を指示する手段と、
　前記再生を指示する手段を制御して次の対象のデータをＣＤチェンジャー６ａおよび６ｂに再生させる手段と、を備え、
　ＣＤチェンジャー６ａおよび６ｂは、
　自己が備える再生対象の媒体に関する識別情報をパソコン１に供給する手段と、
　前記再生を指示する手段によりパソコン１から送られた再生指示に従って、対象のデータを再生する手段と、を備える、
　オーディオ再生システム。」
　
Ｂ．特開平１０−２８５６６４号公報（以下、「周知例１」という。）には図面とともに以下の事項イ〜ロが記載されており、また、特開平１１−３１７９８９号公報（以下、「周知例２」という。）には図面とともに以下の事項ハが記載されている。
　イ．「【課題】  集中制御器12がＡＶ用機器14を集中制御するＡＶシステム10において、集中制御器12が、ＡＶシステム10へ新たに組み込まれるＡＶ用機器14の制御プログラムを装備していなくても、集中制御を支障なく実行できるようにする。
【解決手段】  集中制御器12及びＡＶ用機器14はＩＥＥＥ１３９４バス16を介してシリアルに接続される。各ＡＶ用機器14は制御プログラムを内蔵し、集中制御器12は、ＡＶ用機器14からコマンドをダウンロードして、その制御プログラムに基づいてＡＶ用機器14を制御する。」（周知例１，第１頁左下欄，【課題】，【解決手段】）
　ロ．「【請求項１】  （ａ）ＡＶ用機器(14)を適宜接続、切り離し自在でありトポロジーを自動設定できかつＡＶデータ及び制御データの伝送に共用されるデータ伝送路(16)、（ｂ）機器自身を制御するためのコマンドを内蔵し前記データ伝送路(16)に接続されるＡＶ用機器(14)、及び（ｃ）前記データ伝送路(16)を介して前記ＡＶ用機器(14)からコマンドをダウンロードするとともにそのコマンドを、前記データ伝送路(16)を介して前記ＡＶ用機器(14)へ出力して前記ＡＶ用機器(14)を制御する集中制御装置(12)、を有していることを特徴とするＡＶシステム。」（周知例１，第２頁第１欄，請求項１）
　
　ハ．「【００９６】また、画面２２０１が画像表示状態にないとき、すなわち対応するネットワーク装置９５１が再生状態にない時は、対応するボタン２２１１を選択し、次にその内部の再生マークを選択し決定することで、再生を命令し画面２２０１に画像を表示させることができる。ここで、ネットワーク機器選択窓２２００上の画面２２０１、２２０２、また、ボタン２２１１，２２１２の表示位置は、前述の通り、送信装置８００から受信したデータまたは後述する表示位置調整方法等によって決められているが、画面に表示される画像データ、ボタン２２１１，２２１２の機能、形状データ、などは、対応するネットワーク装置から、ネットワークを介して得たオブジェクトを使うことも可能である。もちろんこの場合は、ネットワーク装置にあらかじめ自分の操作用のオブジェクト（操作するための画像を作成するためのビットマップや、操作するための制御コマンド）をデータとして保持させておき、電源がオンされ、かつネットワークに接続されたときは供給できるように設計される。このとき、受信装置９００からのコールは有っても無くてもどちらでも良いように設計されている。
【００９７】また、電源がオンされていなくても、ネットワークにネットワーク装置９５１が接続されたときは、受信装置９００はネットワーク装置９５１からネットワークを介してオブジェクトを持ってきて使用することが出来るようになっていても良い。」（周知例２、第１０頁第１８欄、段落９６〜９７）
　上記摘記事項ハにおいて「ネットワーク装置にあらかじめ自分の操作用のオブジェクト（操作するための画像を作成するためのビットマップや、操作するための制御コマンド）をデータとして保持させておき、電源がオンされ、かつネットワークに接続されたときは供給できるように設計される。」と記載され、更に「受信装置９００はネットワーク装置９５１からネットワークを介してオブジェクトを持ってきて使用することが出来る」と記載されていることから、周知例２では「受信装置９００においてネットワーク装置から制御コマンドを供給され、受信装置９００において制御コマンドを使用する」ことは明らかである。
　
　そして、周知例１の「集中制御器１２」及び周知例２の「受信装置９００」は制御する装置であり、周知例１の「ＡＶ用機器１０」及び周知例２の「ネットワーク装置」はネットワークの機器であるから、「制御する装置において、ネットワークの機器からコマンド情報を取得し、取得したコマンドに従って、対応するネットワークの機器を制御する」ことは上記周知例１〜２に開示されているように周知である。
　
第３．対比・判断
　（１）対比
　本願発明と引用発明とを対比すると、
　引用発明の「パソコン１」は「ＣＤチェンジャー６ａおよび６ｂ」を制御していることから、本願発明の「コントロール機器」に相当し、
　引用発明の「ＣＤチェンジャー６ａおよび６ｂ」は「複数のターゲット機器」であり、
　引用発明の「プログラム再生を行うオーディオ再生システム」は所定の規格に準拠したバスを介して接続されるシステムであることから「ネットワークシステム」である。
　また、引用発明の「識別情報」は再生対象の媒体に関する情報であるから、「媒体情報」であり、
　引用発明の「再生対象のデータをドラグ＆ドロップで選択する選択手段」は、本願発明の「再生対象のデータを選択する選択手段」に相当する。
　さらに、引用発明の「ウインドウ１３の曲名識別表示１３ｂ」は再生順を表していることから、「再生リスト」といえ、
　したがって、引用発明の「選択されたデータをウインドウ１３の曲名識別表示１３ｂに追加して記憶する手段」は本願発明の「選択されたデータを再生リストに追加して記憶する再生リスト記憶手段」に相当し、
　引用発明の「記憶された曲名識別表示１３ｂの順番に従って」は本願発明の「再生リスト記憶手段に記憶された再生リストに従って」に相当し、
　引用発明の「ＣＤチェンジャー６ａおよび６ｂに向けて対象の再生を指示する手段」は本願発明の「対応するターゲット機器に向けて対象のデータの再生を指示する再生指示手段」に相当する。
　また、引用発明の「再生させる手段」は本願発明の「再生制御手段」に相当する。
　そして、引用発明のＣＤチェンジャー６ａおよび６ｂにおける「識別情報をパソコン１に供給する手段」は本願発明の「媒体情報供給手段」に相当し、
　引用発明のＣＤチェンジャー６ａおよび６ｂにおける「対象のデータを再生する手段」は本願発明の「対象のデータを再生する再生手段」に相当する。
　
　したがって、本願発明と引用発明は、以下の点で一致ないし相違している。
　
（一致点）
　「コントロール機器及び複数のターゲット機器が所定の規格に準拠したバスを介して接続されるネットワークシステムであって、
　コントロール機器は、
　前記複数のターゲット機器において、各ターゲット機器が備える再生対象の媒体に関する媒体情報をそれぞれ取得する媒体情報取得手段と、
　前記媒体情報取得手段が取得した媒体情報をそれぞれのターゲット機器と対応付けて記憶する媒体情報記憶手段と、
　前記媒体情報記憶手段が記憶した媒体情報から再生対象のデータを選択する選択手段と、
　前記選択手段により選択されたデータを再生リストに追加して記憶する再生リスト記憶手段と、前記再生リスト記憶手段に記憶された再生リストに従って、対応するターゲット機器に向けて対象のデータの再生を指示する再生指示手段と、
　前記再生指示手段を制御して次の対象のデータをターゲット機器に再生させる再生制御手段と、を備え、
　各ターゲット機器は、
　自己が備える再生対象の媒体に関する媒体情報をコントロール機器に供給する媒体情報供給手段と、
　前記再生指示手段によりコントロール機器から送られた再生指示に従って、対象のデータを再生する再生手段と、を備える、
　ネットワークシステム。」
　
（相違点１）コントロール機器が対象としているターゲット機器が、本願発明では「すべて」であるのに対し、引用発明では「すべて」でない点。
　
（相違点２）コントロール機器において、本願発明では「ターゲット機器」「における対応コマンド情報を取得する対応コマンド取得手段」と「対応コマンド取得手段によって取得した対応コマンドに従って、対応するターゲット機器に向けて対象のデータの再生を指示する再生指示手段」を備えるのに対し、引用発明では「対応するターゲット機器に向けて対象のデータの再生を指示する再生指示手段」を備えるが、「対応コマンド取得手段」を備えていない点。
　
（相違点３）コントロール機器において、本願発明では「再生指示手段が再生を指示したターゲット機器における再生の終了を判別する再生終了判別手段と、前記再生終了判別手段が再生の終了を判別した後に、前記再生指示手段を制御して次の対象のデータをターゲット機器に再生させる再生制御手段」を備えるのに対し、引用発明では「再生指示手段を制御して次の対象のデータをターゲット機器に再生させる再生制御手段」を備えているが、終了を判別しているか否かは規定されていない点。
　
（２）当審の判断
　上記相違点を検討する。
　
（相違点１について）
　コントロール機器が対象としているターゲット機器についてネットワークに接続されている機器の中ですべてとするかは利用者が必要に応じて決める単なる設計的事項に過ぎず、格別の創意工夫を認めることはできない。
　
（相違点２について）
　上記「第２　引用発明及び周知技術」の「Ｂ」に示したように、「制御する装置において、ネットワークの機器からコマンド情報を取得し、取得したコマンドに従って、対応するネットワークの機器を制御する」ことは周知であり、当該周知の技術思想を引用発明に適用する際に特に阻害要因は見あたらないから、引用発明に当該周知の技術思想を適用し、本願発明のように構成する程度のことは当業者が容易になし得ることである。
　
（相違点３について）
　「プログラム再生において、現在の曲の終了を判別し、終了を判別した後に、次の対象のデータを再生させる」ことは当審の拒絶理由に引用された特開２０００−１４９３８６号公報の【０１０３】〜【０１０５】、特開平８−１０６７２６号公報の【００１４】および特開平６−１５０６３６号公報の【０００８】に開示されているように周知であるから、引用発明のプログラム再生においても当該周知技術が行われていることは明らかであり、引用発明においても制御を行うコントローラにおいて現在の曲の終了を判別し、終了を判別した後に、次の対象のデータを再生させる制御信号を送信していることは明らかであり、本願発明のように構成する程度のことは当業者にとって格別の困難性は認められない。
　
　上記相違点１〜３についての判断に加え、本願発明が有する効果も引用発明および周知技術から当業者が予測できる範囲のものである。
　
第４．むすび
　以上のとおり、本願発明は、引用発明及び周知技術に基づいて当業者が容易に発明をすることができたものと認められるから、特許法第２９条第２項の規定により特許を受けることができない。
　
　よって、結論のとおり審決する。